(57)【要約】【課題】ディスクトレイに位置決めピンなどを設けず、可及的少ない部品でディスク挿入口に対するディスクトレイの位置決めを行えるようにする。【解決手段】前面部に横長のディスク挿入口１Ａが形成された筐体１と、ディスク挿入口１Ａを通じて筐体１の内外に移動可能とされるディスクトレイ２と、ディスクトレイ２を移動させるための手段を備えて筐体１内に収容されるローダベース３と、を具備する。ローダベース３には、ディスク挿入口１Ａに近接する位置でディスクトレイ２の底面部に接触するトレイ受け６が設けられる。又、筐体１には、トレイ受け６を下方から支持する支持部７が設けられる。トレイ受け６は、ディスクトレイ２の底面部に接触し、当該ディスクトレイ２からの押圧力を受けつつ支持部７による支持位置で位置規制されるようローダベース３に弾性部材５を介して取り付けられる。【選択図】図１
2009026424.tif 000002
【特許請求の範囲】
【請求項１】
前面部に横長のディスク挿入口が形成された筐体と、
前記ディスク挿入口を通じて前記筐体内に収容される第１位置と前記筐体外に張り出す第２位置との間を移動可能とされるディスクトレイと、
前記ディスクトレイを移動させるための手段を備えて前記筐体内に収容されるローダベースと、を具備して構成されるディスク駆動装置において、
前記ローダベースに、前記ディスク挿入口に近接する位置で前記ディスクトレイの底面部に接触するトレイ受けが設けられると共に、
前記筐体には、前記トレイ受けを下方から支持する支持部が設けられ、
前記トレイ受けは、前記ディスクトレイの底面部に接触し、当該ディスクトレイからの押圧力を受けつつ前記支持部による支持位置で位置規制されるよう前記ローダベースに弾性部材を介して取り付けられることを特徴とするディスク駆動装置。
【発明の詳細な説明】
【技術分野】
【０００１】
本発明は、ＣＤやＤＶＤといったディスクをディスクトレイに載せて搬送する方式のディスク駆動装置に関する。
【背景技術】
【０００２】
一般に、トレイ搬送式のディスク駆動装置は、筐体の前面部に横長のディスク挿入口が形成され、そのディスク挿入口を通じてディスクトレイが筐体の内外に移動し、ディスクトレイが筐体内に収容されたときに、当該トレイの端板がディスク挿入口内に納まるようになっているが、部品の寸法精度や組付精度に関係してディスクトレイの端板がディスク挿入口内に良好に納まらず、図１０のようにディスク挿入口ｍに対してディスクトレイの端板ｔが偏った状態に納まって両者間に不均等な間隙が生じ、体裁を損ねてしまうことがあった。
【０００３】
そこで、図１１のように、ディスク挿入口ｍの長手方向両端部となる位置で筐体に円形の位置決め孔ｈを形成する一方、その位置決め孔ｈに対応する位置でディスクトレイの端板ｔにテーパ状の位置決めピンｐを設け、その孔ｈとピンｐとの嵌合によりディスクトレイの端板ｔがディスク挿入口ｍ内に位置ずれ無く良好に納まるようにしたディスク駆動装置が提案されている（例えば、特許文献１）。
【０００４】
【特許文献１】特開２００５−１１６０００号公報
【発明の開示】
【発明が解決しようとする課題】
【０００５】
しかしながら、特許文献１に開示されるような構成では、ディスクの取り出しや交換を行うべくディスクトレイを筐体内から筐体外に移動させたとき、位置決め孔や位置決めピンが外部に現れて体裁を損ねるという欠点があり、しかもディスクトレイに位置決めピンを設ける関係上、ディスクトレイの薄型化が困難になる。
【０００６】
又、特許文献１では、筐体内へのディスクトレイの収容が完了する段階において、位置決めピンが位置決め孔に嵌入してトレイ端板の位置ずれが急激に修正され、トレイ端板の不自然な動きが視認されるために、装置の高級感が失われるという問題がある。
【０００７】
本発明は以上のような事情に鑑みて成されたものであり、その目的はディスクトレイに位置決めピンなどを設けず、可及的少ない部品でディスク挿入口に対するディスクトレイの位置決めを行えるようにすることにある。
【課題を解決するための手段】
【０００８】
本発明は上記の目的を達成するため、
前面部に横長のディスク挿入口１Ａが形成された筐体１と、
ディスク挿入口１Ａを通じて筐体１内に収容される第１位置と筐体１外に張り出す第２位置との間を移動可能とされるディスクトレイ２と、
ディスクトレイ２を移動させるための手段を備えて筐体１内に収容されるローダベース３と、を具備して構成されるディスク駆動装置において、
ローダベース３に、ディスク挿入口１Ａに近接する位置でディスクトレイ２の底面部に接触するトレイ受け６が設けられると共に、
筐体１には、トレイ受け６を下方から支持する支持部７が設けられ、
トレイ受け６は、ディスクトレイ２の底面部に接触し、当該ディスクトレイ２からの押圧力を受けつつ支持部７による支持位置で位置規制されるようローダベース３に弾性部材５を介して取り付けられることを特徴とする。
【発明の効果】
【０００９】
本発明によれば、弾性部材によりトレイ受けがディスクトレイの底面部に接触した状態に保たれ、そのトレイ受けが支持部により所定の高さに支持されることから、筐体に対するローダベースの組付精度やディスクトレイを移動させる機構部品の寸法精度などを上げずに、トレイ受けの厚さと支持部の高さによってディスクトレイとディスク挿入口との間における上下の隙間を均等にすることができる。
【００１０】
特に、トレイ受けは筐体に内蔵されるローダベースに弾性部材を介して取り付けられ、支持部はトレイ受けを下方から支持するよう筐体に設けられるので、ディスクトレイが筐体外に張り出したときでもトレイ受けや支持部が外部に露出して体裁を損ねてしまうことがなく、ディスクトレイには位置決めピンなどの特別な部材を付加していないので、ディスクトレイの薄型化を図ることも可能になる。
【発明を実施するための最良の形態】
【００１１】
以下、図面に基づいて本発明を詳しく説明する。図１は本発明に係るディスク駆動装置の構成例を示す斜視外観図である。図１において、１は装置の外装を成す筐体であり、その前面部には横長のディスク挿入口１Ａが形成されている。２はディスクＤを載せて搬送するディスクトレイであり、その一端部はディスク挿入口１Ａを塞ぐ鍔状の端板２Ａとされている。特に、係るディスクトレイ２は、ディスク挿入口１Ａを通じて、筐体１内に収容される第１位置（図１の点線で表される位置）と、筐体１外に張り出す第２位置（図１の一点鎖線で表される位置）と、の間を移動可能とされる。尚、第１位置では端板２Ａがディスク挿入口１Ａ内に納まり、筐体１内にてディスクトレイ２に載せられたディスクＤの回転駆動が可能とされる一方、第２位置ではディスクＤの全体が外部に現れ、これをディスクトレイ２上から取り出すことができる。
【００１２】
図２はディスクトレイの平面図、図３はディスクトレイの底面図である。図２および図３から明らかなように、ディスクトレイ２にはその中央部分を切り欠いた切欠孔２１が形成されている。又、図２において、２２はディスクトレイ２の上面に形成される凹状のディスク配置部であり、このディスク配置部２２は小径凹部２２Ａと該小径凹部よりも一段高い大径凹部２２Ｂとから成る。その小径凹部２２Ａと大径凹部２２Ｂは同心の円形状であり、小径凹部２２Ａには小径のディスク（例えば直径８ｃｍ）が嵌合状態に配置可能とされ、大径凹部２２Ｂには大径のディスク（例えば、直径１２ｃｍ）が嵌合状態に配置可能とされている。そして、上記の切欠孔２１はディスク配置部２２の中心から大径凹部２２Ｂの外側領域まで連続して形成され、その切欠孔２１を通じてディスク配置部２２に配置されたディスクを後述のターンテーブルにより支持して回転させながら、そのディスクの盤面に後述のピックアップからレーザ光を照射させ得るようになっている。
【００１３】
又、図３のように、ディスクトレイ２の底面部には、スライド２３およびラックギア２４が設けられる。スライド２３は、端板２Ａとは反対側の端部（後端）においてディスクトレイ２の底面部両側に固設されており、その両者にディスクトレイ２の移動案内をする左右一対のガイド軸３１が通されるようになっている。一方、ラックギア２４はガイド軸３１に平行する状態でディスクトレイ２に一体的に形成され、そのラックギア２４に対してディスクトレイ２４を移動させるための動力伝達が行われる構成とされている。
【００１４】
次に、図４は筐体１内を側方からみた概略図、図５は筐体１内を上方からみた概略図である。尚、図４及び図５ではディスクトレイ２が上記の第１位置にある状態が示される。
【００１５】
図４、図５において、３は筐体１内に収容されるローダベースであり、このローダベース３はビスなどより筐体１内の定位置に固定されている。特に、ローダベース３には、ディスクトレイ２を移動させる手段として、上記ガイド軸３１のほか正逆回転可能なローディングモータ３２が装置される。ローディングモータ３２の駆動軸にはピニオン３３が固着されており、そのピニオン３３がディスクトレイ２のラックギア２４と噛み合わされている。しかして、ローディングモータ３２の駆動によりピニオン３３が回転し、これに噛み合うラックギア２４をもつディスクトレイ２がガイド軸３１に沿って上記第１位置と第２位置との間を往復移動するようになっている。
【００１６】
又、ローダベース３には、左右一対のガイド軸３１，３１の間でトラメカと呼ばれるドライブユニット４が昇降可能に設けられる。係るドライブユニット４は、上記したターンテーブル４１やピックアップ４２などを台座４３に組み付けて成るもので、ディスクトレイ２の移動時などには当該ディスクトレイ２に干渉せぬようローダベース３の下部に待機し、ディスクトレイ２が筐体１内の第１位置に達した後には当該ディスクトレイ２に向けて上昇する。
【００１７】
ここに、ターンテーブル４１は第１位置に停止したディスクトレイ２の切欠孔２１を通じてディスクトレイ２上に突出して、ディスク配置部２２に配置されたディスクＤの中心部を支持し、ピックアップ４２はターンテーブル４１により支持されて回転されるディスクＤの盤面に沿ってその半径方向に移動する。つまり、上記第１位置とは、ディスク配置部２２の中心がターンテーブル４１に対向する位置であり、当該第１位置ではターンテーブル４１によりディスクＤをディスクトレイ２上に若干浮上させた状態で回転させながら、ピックアップ４２によりディスクＤの記録情報を読み出したりディスクＤに情報記録を行ったりすることができる。尚、ターンテーブル４１はスピンドルモータ４４により回転される円盤状の部品で、これによるディスクＤの回転時にはローダベース３の上部に設けられる図示せぬクランプ盤との間でディスクＤがクランプされるようになっている。
【００１８】
ここで、図６に本発明に係るディスク駆動装置の要部拡大図を示す。この図で明らかなように、ローダベース３には筐体１のディスク挿入口１Ａに近接する側で弾性部材５（板バネ）が取り付けられ、その先端に小片状のトレイ受け６が設けられている。トレイ受け６は弾性部材５を介してローダベース３に取り付けられ、ローダベース３とディスク挿入口１Ａとの間でディスクトレイ２の底面部に接触している。尚、トレイ受け６はディスクトレイ２と同種の硬質樹脂や金属などから成り、その表面はディスクトレイ２の移動が円滑に行われるよう摩擦抵抗の小さい平滑面とされる。又、図７のように弾性部材５はローダベース３の左右両側に取り付けられ、その各先端にトレイ受け６が設けられており、その左右一対のトレイ受け６がディスクトレイ２の幅方向両側においてその底面部に接触するようにしてある。これによれば、ディスクトレイ２が左右に傾くことを防止できる。
【００１９】
一方、図６において、ディスクトレイ２は、上記スライド２３とガイド軸３１との嵌め合い隙間（しめ代）分だけ自重により下がってトレイ受け６を押圧している。特に、ディスクトレイ２は、スライド２３側（図６の左側）を支点にして該スライド側よりも端板２Ａ側が下がってトレイ受け６を下向きに押圧しており、これにより弾性部材５に弾性変形が与えられるようになっている。つまり、ディスクトレイ２は弾性部材５の弾力に抗してトレイ受け６を押下げており、ディスクトレイ２の底面部には弾性部材５の復元力によりトレイ受け６が弾性的に接触している。
【００２０】
又、図６において、７はトレイ受け６を下方から支持して当該トレイ受け６を所定の高さに位置決めする支持部であり、この支持部７はディスク挿入口１Ａの下縁付近において筐体１の内壁からローダベース３側に向かって水平状に突出されている。
【００２１】
しかして、トレイ受け６は、弾性部材５の弾性変形によりディスクトレイ２の底面部に接触したまま、当該ディスクトレイ２からの押圧力（荷重）を受けて支持部７による支持位置まで押下げられて位置規制されている。そして、ディスクトレイ２は、その底面部をトレイ受け６に摺接させながら上記第１位置と第２位置との間を移動し、第１位置ではトレイ受け６を介して支持部７で支持された状態のまま、当該ディスクトレイ２の端板２Ａがディスク挿入口１Ａ内に納まってディスク挿入口１Ａを塞ぐことになる。
【００２２】
このように、ローダベース３と筐体１（ディスク挿入口１Ａ）との高さ方向のずれ（バラツキ）は弾性部材５の上下方向の弾性変形により吸収されるので、支持部７の上面７Ａの高さが高精度に位置出しされていればディスク挿入口１Ａ内におけるディスクトレイ２（端板２Ａ）の位置出しを精度よく行うことができる。従って、支持部７は筐体１と一体的に成形することが好ましく、これによりディスク挿入口１Ａに対して支持部７の上面７Ａの高さを高精度に位置出しして、当該支持部７で支持されるトレイ受け６を介してディスク挿入口１Ａに対するディスクトレイ２の位置出しを高精度に行うことができる。
【００２３】
尚、弾性部材５は、その取付位置によって図８(ａ)のようにローダベース３側より支持部７側が高くなる場合と、図８(ｂ)のようにローダベース３側より支持部７側が低くなる場合とがある。
【００２４】
又、トレイ受け６は弾性部材５を介して支持部７上に載置されることに限らず、図９のように弾性部材５がトレイ受け６の高さ方向中間部分に連なってトレイ受け６が支持部７に直に当接するようにしてもよい。
【００２５】
以上のように、本発明に係るディスク駆動装置によれば、ローダベース３に弾性部材５を介してトレイ受け６が取り付けられ、そのトレイ受け６がディスクトレイ２の底面部に接触してディスクトレイ２からの押圧力を受けつつ支持部７による支持位置で位置規制される構成としていることから、トレイ受け６の厚さと支持部７の高さによってディスクトレイ２とディスク挿入口１Ａとの間における上下の隙間Ｇ１，Ｇ２を均等にすることができる。このため、ディスクトレイ２が筐体１内に収容された状態で体裁が損なわれず、しかもディスクトレイ２の位置決めに関係するものがトレイ自体に設けられないので、その薄型化を図ることが可能となり、ディスクトレイ２が筐体１外に張り出したときでも体裁を損なわない。
【００２６】
以上、本発明に係るディスク駆動装置の構成例を図面に基づき説明したが、ディスクトレイ２はラックピニオン機構により移動されるものに限らず、ディスクトレイ２をこれに平行する面内で旋回するアームにより移動させる方式とすることもできる。
【図面の簡単な説明】
【００２７】
【図１】本発明に係るディスク駆動装置を示す斜視概略図
【図２】ディスクトレイの平面図
【図３】ディスクトレイの底面図
【図４】筐体内を側方からみた状態を示す概略図
【図５】筐体内を上方からみた状態を示す概略図
【図６】ディスク挿入口の周辺を拡大して示した部分断面図
【図７】ローダベースの一端側を示す平面概略図
【図８】弾性部材の弾性変形態様を示す説明図
【図９】本発明の変更例を示す要部拡大図
【図１０】ディスク挿入口内にトレイ端板が不均等に納まっている状態を示す説明図
【図１１】従来装置の要部を示す平面概略図
【符号の説明】
【００２８】
１  筐体
１Ａ  ディスク挿入口
２  ディスクトレイ
２Ａ  端板
３  ローダベース
５  弾性部材
６  トレイ受け
７  支持部
【図１】
2009026424.tif 000003
【図２】
2009026424.tif 000004
【図３】
2009026424.tif 000005
【図４】
2009026424.tif 000006
【図５】
2009026424.tif 000007
【図６】
2009026424.tif 000008
【図７】
2009026424.tif 000009
【図８】
2009026424.tif 000010
【図９】
2009026424.tif 000011
【図１０】
2009026424.tif 000012
【図１１】
2009026424.tif 000013